(57)【要約】【課題】少ない信号入力でモータを制御可能な、モータ制御装置を提供する。【解決手段】モータ２の制御状態に応じて、入力信号の機能をトリップリセット機能、原点復帰機能、通常動作機能のいずれかに自動的に切り替えることにより、一つの入力信号にて複数のモータの制御を可能とする。【選択図】図２ 
2005160181.tif 000002
【特許請求の範囲】
【請求項１】
入力信号の機能をモータの制御状態に応じてトリップリセット機能、原点復帰機能、通常動作機能のうち、２つ以上の機能のいずれかを自動的に切り替える機能を搭載したモータ制御装置。
【請求項２】
切替機能の有効、無効を選択できる選択手段を備えた、請求項１に記載のモータ制御装置。
【請求項３】
一定時間は入力信号を受け付けないようにできるディレイ手段を備えた、請求項１または請求項２に記載のモータ制御装置。
【請求項４】
モータの制御状態の切り替わり後、入力信号が一旦“不動作状態”を確認してから受け付ける確認手段を備えた、請求項１から請求項３に記載のモータ制御装置。
【発明の詳細な説明】
【技術分野】
【０００１】
本発明は、産業用モータの制御装置に関する。
【背景技術】
【０００２】
従来、モータ制御装置のモータへの出力回路において、正弦波駆動と矩形波駆動の切替を行うことが一般的に実施されている。
【０００３】
この正弦波駆動と矩形波駆動を効率的に行うため、デッドタイム挿入回路を配置することにより、ＰＷＭ出力とＩ／Ｏポート出力をＰＷＭ周期に同期して切り替えることが知られている（例えば、特許文献１参照。）。
【特許文献１】特開２００１−２７５３６５号公報
【発明の開示】
【発明が解決しようとする課題】
【０００４】
解決しようとする問題点は、モータ出力回路部においては、信号の切替を行うことにより、モータへの出力部を１つの信号にて行うことが可能であるが、上位制御装置からモータ制御装置への制御信号については、従来と同様で機能毎に多数の制御信号が必要であった。
【課題を解決するための手段】
【０００５】
上記課題を解決するために本発明は、モータ制御装置に入力される一つの制御信号をモータの制御状態に応じて、トリップリセット機能、原点復帰動作機能、通常動作機能のいずれかに切り替えるもので、少ない入力信号でモータ制御を実現することができる。
【発明の効果】
【０００６】
本発明のモータ制御装置によれば、モータの制御状態に応じて自動的に制御信号の機能をトリップリセット機能、原点復帰機能、通常動作機能に切り替えることが可能になる。通常、モータ制御装置においては、トリップ状態であれば、原点復帰動作や通常動作を行うことができない。また、通常、電源投入後に必ず一回原点復帰が行われ、もし原点復帰が完了していなければ、通常動作を行うことができない。したがって、上記信号を同時に使用することは無いため、従来モータ制御に制御信号が３点必要だったものが、１点の入力信号で、モータを制御することが可能なモータ制御装置を提供することができる。
【０００７】
これにより、配線工数削減による低コスト化および、省配線化による高信頼性システムを実現することが可能となる。
【０００８】
また、さらに機能切替の有効、無効を設定する手段を設けることにより、必要に応じて３点の機能のうち２点の複数信号によるモータの制御を行うことが可能である。
【０００９】
また、設定された時間経過後に入力信号を有効とする手段を設けることで、誤動作を防止することが可能となる。
【００１０】
さらに、入力信号が入力された状態で、モータの制御状態が変化した場合、入力信号が一旦“不動作状態”になってから、再度入力された際に、モータの制御状態に応じた機能切替を行うようにすることにより、不意の信号機能の変化を抑制することができる。
【発明を実施するための最良の形態】
【００１１】
本願発明は、モータの制御状態に応じて、入力信号の機能をトリップリセット機能、原点復帰動作機能、通常動作機能のうち、いずれか２つ以上に自動的に切り替える機能を搭載したものである。
【実施例１】
【００１２】
図１において、モータ制御手段１には、モータ２を制御するための制御信号が上位制御装置３から一つだけ入力されている。モータ制御手段１には、制御信号の機能選択手段４が搭載されている。
【００１３】
このモータ制御手段１の動作について、図２のフローチャートに基づき、説明を行う。電源投入後、モータ２が異常を感知してトリップ状態になっているときに、制御信号を入力すると、モータ制御手段１は制御信号をトリップリセット信号と判断して、モータ制御手段１の異常状態を解除する。
【００１４】
モータ制御手段１がトリップ状態になっていない時に、制御信号を入力すると、原点復帰が完了していない場合は、モータ制御手段１は制御信号を原点復帰開始信号と判断して、原点復帰動作を実行する。
【００１５】
さらに制御信号を継続して入力すると、モータ２はトリップ状態ではなく、原点復帰も完了していることから、通常の動作を実行することとなる。
【００１６】
その後、モータ２が異常を感知してトリップした状態において、制御信号を入力すると、モータ制御手段１はトリップリセット処理を実行する。
【実施例２】
【００１７】
実施例１に有効となる入力判定時間を設定するディレイタイマを設けることで、制御状態の判断を可能にする。このときの動作について図３のフローチャートに基づき説明を行う。
【００１８】
電源投入後、モータ２の異常を感知してトリップ状態になっているときに、制御信号を入力すると、モータ制御手段１に設定されたディレイタイマ時間の経過を待つことにより、入力信号の機能が有効となり、トリップリセット機能が実行される。
【００１９】
モータ制御手段１がトリップ状態になっていない時に、制御信号を入力すると、原点復帰が完了していない場合は、モータ制御手段１は機能選択手段４により設定された入力機能選択において、原点復帰動作が有効となっている場合、制御信号を原点復帰動作信号と判断して、原点復帰動作を実行する。さらに、このとき、モータ制御手段１に設定されたディレイタイマ時間の経過を待つことにより、制御信号入力の機能が有効となり、原点復帰動作が実行される。
【００２０】
ここで、図１の表に示すように、機能選択手段４のパラメータを０〜３のいずれかに切替えることによりいずれか２つ以上の機能切替を選択することを可能としている。
【実施例３】
【００２１】
実施例１にモータ制御手段１の制御状態が変化した場合は、一旦制御信号が“不動作状態”であることを確認するまで受け付けない処理を設けることで、正しい制御状態の判断を可能にする。このときの動作について図４のフローチャートに基づき説明を行う。
【００２２】
モータ制御手段１が通常動作状態において、制御信号が入力され、異常を感知してトリップ状態になった場合、モータ制御手段１は、制御モードが切り替わるので、制御モード
確認フラグ“Ｆ”をセットする。
【００２３】
制御信号の状態が“動作状態”（ＯＮ）のままでは、制御モード確認フラグ“Ｆ”がセットされているため、有効な制御信号とは判断されない。そのため、直ちにトリップリセット信号として認識されることはない。
【００２４】
制御信号を一旦、“不動作状態”（ＯＦＦ）とすると、制御モード確認フラグ“Ｆ”がリセットされ、次回に制御信号が“動作状態”（ＯＮ）となると、その時点で制御信号は、有効な制御信号入力となり、トリップリセット処理が実行される。
【産業上の利用可能性】
【００２５】
本発明のモータ制御装置は、少ない入力信号にてモータを制御する用途などに有用である。
【図面の簡単な説明】
【００２６】
【図１】本発明の実施例１におけるモータ制御装置の図
【図２】本発明の実施例１におけるモータ制御装置のフローチャート
【図３】本発明の実施例２における制御入力ディレイ処理のフローチャート
【図４】本発明の実施例３における制御状態切り替え確認処理のフローチャート
【符号の説明】
【００２７】
１  モータ制御手段
２  モータ
３  上位制御装置
４  機能選択手段
【図１】
2005160181.tif 000003
【図２】
2005160181.tif 000004
【図３】
2005160181.tif 000005
【図４】
2005160181.tif 000006